(57)【要約】【課題】メガリングフィルタを使用した送電線の絶縁抵抗等の測定において迅速かつ容易に測定作業を行う。【解決手段】絶縁抵抗測定器１００は、送電線の絶縁抵抗を測定する場合にメガリングフィルタのアース端子が接続されるアース接続端子１１４と、送電線の絶縁抵抗を測定する場合にメガリングフィルタのライン端子が接続されるライン接続端子１１６とを備えている。アース接続端子１１４およびライン接続端子１１６は、メガリングフィルタの平型のアース端子およびライン端子が接続し易いようにねじ型の端子で構成されている。絶縁抵抗の測定時に、作業員の負担を軽減することができ、作業の大幅な迅速化を図ることができる。【選択図】図１
2012237731.tif 000002
【特許請求の範囲】
【請求項１】
被測定物の絶縁抵抗を測定する絶縁抵抗測定器であって、
絶縁抵抗測定器本体と、
前記絶縁抵抗測定器本体に設けられた端子部とを備え、
前記端子部は、
平型のライン端子およびアース端子を有するメガリングフィルタを用いて前記被測定物としての送電線の絶縁抵抗を測定する場合に、
前記メガリングフィルタの前記平型のライン端子が接続されるねじ型の第１の端子と、
前記メガリングフィルタの前記平型のアース端子が接続されるねじ型の第２の端子と
を有することを特徴とする絶縁抵抗測定器。
【請求項２】
前記端子部は、
平型の第１のライン端子および第１のアース端子を有する第１のメガリングフィルタと、平型の第２のライン端子および第２のアース端子を有する第２のメガリングフィルタとを用いて前記送電線の各線路間の相関絶縁を測定する場合において、前記第１のメガリングフィルタの前記第１のライン端子は前記第１の端子または前記第２の端子に接続され、前記第２のメガリングフィルタの前記第２のライン端子は前記第２の端子または前記第１の端子に接続され、
前記第１のメガリングフィルタの前記第１のアース端子が接続される第３の端子と、
前記第２のメガリングフィルタの前記第２のアース端子が接続される第４の端子とをさらに有する
ことを特徴とする請求項１に記載の絶縁抵抗測定器。
【請求項３】
前記端子部は、
前記被測定物を測定する場合に使用されるワニ口型の端子を有するアース用プローブと、
前記被測定物を測定する場合に使用される針型の端子を有する測定用プローブと
を有することを特徴とする請求項１または請求項２に記載の絶縁抵抗測定器。
【請求項４】
前記第３の端子および前記第４の端子は、前記第１の端子および前記第２の端子と少なくとも色、形状または大きさの何れか１以上が異なるように構成されている
ことを特徴とする請求項２または請求項３に記載の絶縁抵抗測定器。
【請求項５】
前記端子部は、前記絶縁抵抗測定器本体に着脱可能に取り付けられる
ことを特徴とする請求項１から請求項４の何れか一項に記載の絶縁抵抗測定器。
【発明の詳細な説明】
【技術分野】
【０００１】
本発明は、メガリングフィルタを介して送電線の絶縁抵抗等を測定する絶縁抵抗測定器に関する。
【背景技術】
【０００２】
従来から、自主検査時に、変電所と送電鉄塔との間に架設された三相送電線の各相における絶縁抵抗の測定が実施されている。絶縁抵抗測定では、絶縁抵抗測定器を使用し、変電所と送電鉄塔との間に架設された並行２回線送電線の１回線を休止することで測定を行っているが、他回線からの誘導電圧によって直接測定できない場合がある。そのため、送電線の絶縁抵抗測定では、他回線からの誘導電圧を減衰させるためのメガリングフィルタを用いて絶縁抵抗測定器により送電線の絶縁抵抗の測定を行っている。
【０００３】
ここで、絶縁抵抗測定器は、測定器本体と、この測定器本体に接続されたライン端子およびアース端子とから構成され、ライン端子は例えば針型形状に形成され、アース端子は例えばワニ型形状に形成されている。また、メガリングフィルタは、棒状の本体と、この本体に接続されたメガ端子とアース端子とから構成され、メガ端子はさらに平型形状のライン端子およびアース端子を有している。
【０００４】
このような絶縁抵抗測定器およびメガリングフィルタを用いて絶縁抵抗測定を行う場合には、絶縁抵抗測定器の針型のライン端子にメガリングフィルタの平型のライン端子を接続し、絶縁抵抗測定器のワニ型のアース端子にメガリングフィルタの平型のアース端子を接続した後、測定しようとする線路にメガリングフィルタの先端のフックをかけると共にアースフックを接地することで、送電線の絶縁抵抗の測定を行っている。
【０００５】
また、送電鉄塔でメガリングフィルタにより検相する作業では、高所での絶縁棒の付け替え作業等が必要であり、不要な高圧箇所へ接触する危険性もあるため、メガリングフィルタを使用せずに、送電線の絶縁抵抗測定を行う検相器も提案されている（特許文献１参照）。
【先行技術文献】
【特許文献】
【０００６】
【特許文献１】特開平１１−３２６４２０号公報
【発明の概要】
【発明が解決しようとする課題】
【０００７】
ところで、上述した従来のメガリングフィルタと絶縁抵抗測定器とを用いた送電線の絶縁抵抗の測定では、メガリングフィルタの端子形状と絶縁抵抗測定器の端子形状とが異なっているので、端子同士の接続に手間がかかってしまうという問題がある。そのため、絶縁抵抗測定器の端子形状をメガリングフィルタの端子形状に合わせることも考えられる。しかしながら、一般的な絶縁抵抗測定器は、送電線以外の他の電気機器の絶縁抵抗の測定にも兼用して使用されるため、絶縁抵抗測定器の端子は現状のままの形状とすることが要求されている。
【０００８】
そこで、本発明は、上記課題に鑑みてなされたものであり、メガリングフィルタを使用した送電線の絶縁抵抗等の測定において迅速かつ容易に測定作業を行うことが可能な絶縁抵抗測定器を提供することを目的とするものである。
【課題を解決するための手段】
【０００９】
上記課題を解決するために、本発明に係る絶縁抵抗測定器は、被測定物の絶縁抵抗を測定する絶縁抵抗測定器であって、絶縁抵抗測定器本体と、絶縁抵抗測定器本体に設けられた端子部とを備え、端子部は、平型のライン端子およびアース端子を有するメガリングフィルタを用いて被測定物としての送電線の絶縁抵抗を測定する場合に、メガリングフィルタの平型のライン端子が接続されるねじ型の第１の端子と、メガリングフィルタの平型のアース端子が接続されるねじ型の第２の端子とを有するものである。
【発明の効果】
【００１０】
本発明によれば、送電線の絶縁抵抗時においてメガリングフィルタの平型端子を接続するためのねじ型の第１および第２の端子を絶縁抵抗測定器本体に設けたので、絶縁抵抗の測定時にメガリングフィルタの平型端子を簡易に絶縁抵抗測定器に取り付けることができる。これにより、絶縁抵抗測定作業時における作業員の負担を軽減することができ、作業の大幅な迅速化を図ることができる。
【図面の簡単な説明】
【００１１】
【図１】本発明の一実施形態に係る絶縁抵抗測定器の構成例を示す斜視図である。
【図２】絶縁抵抗測定器の構成例を示す分解斜視図である。
【図３】絶縁抵抗測定器の構成例を示す平面図ある。
【図４】Ａ−Ａ線に沿った端子部の構成例を示す断面図である。
【図５】メガリングフィルタの構成例を示す図である。
【図６】絶縁抵抗測定器およびメガリングフィルタを使用して送電線の絶縁抵抗を測定する場合の測定例である。
【図７】メガリングフィルタのメガ端子を絶縁抵抗測定器の端子部に接続した状態を示す図である。
【図８】絶縁抵抗測定器およびメガリングフィルタを使用して、三相３線式の赤相と白相との間の相間絶縁を測定する場合の測定例である。
【図９】絶縁抵抗測定器およびメガリングフィルタを使用して赤相および白相間の相間絶縁を測定する場合の状態を示す図である。
【発明を実施するための形態】
【００１２】
以下、発明を実施するための最良の形態（以下実施の形態とする）について説明する。
【００１３】
［絶縁抵抗測定器の構成例］
図１〜図４は、本発明の一実施形態に係る絶縁抵抗測定器１００の構成の一例を示している。本発明に係る絶縁抵抗測定器１００は、送電線と対地間の絶縁抵抗をメガリングフィルタ２００を用いて測定する場合において、メガリングフィルタ２００の平型のライン端子２０８，アース端子２１２のそれぞれを簡易に接続可能なアース接続端子１１４，ライン接続端子１１６を備えるものである。
【００１４】
図１〜図４に示すように、絶縁抵抗測定器１００は、測定器本体１０２と端子部１１２とアース用プローブ１３０と測定用プローブ１４０とを備えている。測定器本体１０２は、作業者が把持し易いような平面視長方形状からなる筐体で構成されている。測定器本体１０２の上面略中央部には、送電線等の抵抗値や電圧を表示するためのアナログ方式の表示部１０４が設けられている。本例では、アナログ表示としたが、ディジタル表示の表示部１０４を用いても良い。表示部１０４の図１および図２中下方には、絶縁抵抗の測定を開始するための測定ボタン１１０が設けられている。
【００１５】
端子部１１２は、後述するアース用プローブ１３０および測定用プローブ１４０を測定器本体１０２に電気的に接続するためのアダプタ（機器）であって、測定器本体１０２に着脱可能に取り付けられる。端子部１１２の側面部１１２ａには本体接続端子１２２，１２４が設けられ、これらの本体接続端子１２２，１２４が測定器本体１０２に設けられた図示しない装着孔に挿入されることで、端子部１１２が測定器本体１０２に電気的に接続される。
【００１６】
また、端子部１１２は、アース接続端子１１４とライン接続端子１１６と開放用端子１１８，１２０とを備えている。アース接続端子１１４は、送電線の絶縁抵抗を測定する場合にメガリングフィルタ２００のアース端子２１２（図５参照）を接続するための端子であって、端子部１１２上面のアース用プローブ１３０側の端部に立設されている。アース接続端子１１４は、メガリングフィルタ２００の平型のアース端子２１２が接続し易いように例えばねじ型端子から構成され、図４に示すように、ねじ部材の周面に絶縁部材が被覆された把持部１１４ａとねじ部材が締結される受け部１１４ｂとを備えている。受け部１１４ｂに把持部１１４ａがねじ込まれると、その先端が端子部１１２内に設けられた図示しない配線等を介して本体接続端子１２２に電気的に接続される。アース接続端子１１４は、第２の端子の一例であり、例えば黒色に塗装されている。
【００１７】
ライン接続端子１１６は、送電線の絶縁抵抗を測定する場合にメガリングフィルタ２００のライン端子２０８を接続するための端子であって、端子部１１２上面の測定用プローブ１４０側の端部に立設されている。ライン接続端子１１６は、メガリングフィルタ２００の平型のライン端子２０８が接続し易いように例えばねじ型端子から構成され、図４に示すように、ねじ部材の周面に絶縁部材が被覆された把持部１１６ａとねじ部材が締結される受け部１１６ｂとを備えている。受け部１１６ｂに把持部１１６ａがねじ込まれると、その先端が端子部１１２内に設けられた図示しない配線等を介して本体接続端子１２４に電気的に接続される。ライン接続端子１１６は、第１の端子の一例であり、例えば赤色に塗装されている。
【００１８】
開放用端子１１８，１２０は、端子部１１２の上面部であってかつアース接続端子１１４とライン接続端子１１６との間に配設され、送電線の相間絶縁を測定する場合にメガリングフィルタ２００Ａ，２００Ｂにおいて使用しないアース端子２１２Ａ，２１２Ｂ（図８参照）を開放する際に一時的に仮留めする端子として使用される。そのため、開放用端子１１８，１２０は、何れの端子や配線にも電気的に接続されないダミー端子となっている。開放用端子１１８は把持部１１８ａと受け部１１８ｂとから構成され、開放用端子１２０も同様に把持部１２０ａと受け部１２０ｂとから構成されている（図４参照）。開放用端子１１８，１２０は、アース接続端子１１４およびライン接続端子１１６と区別し易いように、例えばアース接続端子１１４およびライン接続端子１１６とは異なった色（例えば黄色）に塗装されている。なお、開放用端子１１８は第３の端子の一例を構成し、開放用端子１２０は第４の端子の一例を構成している。
【００１９】
アース用プローブ１３０および測定用プローブ１４０は、電気機器等の絶縁抵抗を測定する場合に使用される。そのため、後述する送電線と対地間の絶縁抵抗を測定する場合には使用されない。アース用プローブ１３０は、アース用コード１３２とアース端子１３４とを有している。アース用コード１３２は、その基端が端子部１１２に設けられた本体接続端子１２２に電気的に接続されている。アース端子１３４は、アース用コード１３２の先端に接続され、例えばワニ口型形状に形成されている。測定用プローブ１４０は、ライン用コード１４２とライン端子１４４とを有している。ライン用コード１４２は、その基端が端子部１１２に設けられた本体接続端子１２４に電気的に接続されている。ライン端子１４４は、ライン用コード１４２の先端に接続され、例えば針型形状に形成されている。
【００２０】
［メガリングフィルタの構成例］
図５は、メガリングフィルタ２００の構成の一例を示している。メガリングフィルタ２００は、例えば並行２回線送電線において１回線の線路の絶縁抵抗を測定する場合に他回線からの誘導電圧を減衰させて安全にメガ測定を可能にする装置である。そのため、メガリングフィルタ２００は、例えば３段のＬ型フィルタによって構成され、内部抵抗は例えば２ＭΩに設定されている。また、メガリングフィルタ２００の使用可能な誘導電圧としては、例えば１５０００Ｖである。
【００２１】
メガリングフィルタ２００は、図５に示すように、２つに分割された棒状の本体２０２，２０３を有し、これらの本体２０２，２０３がジョイント部２０４を介して連結可能に構成されている。本体２０２，２０３の連結時の長さは、例えば３．３ｍである。本体２０２の先端部には、送電線の絶縁抵抗測定時にメガリングフィルタ２００を線路にかけるためのフック２０６が設けられている。
【００２２】
本体２０３の基端部には、ライン用コード２１０を介してライン端子２０８が接続されると共に、アース用コード２１４を介してアース端子２１２が接続されている。ライン端子２０８およびアース端子２１２のそれぞれは、例えば平型形状の端子により構成されている。また、本体２０３の基端部には、アース用コード２１８を介してアース端子２１６が接続されている。アース端子２１６は、例えばワニ口型形状の端子により構成されている。
【００２３】
［送電線の絶縁抵抗の測定例］
次に、発明に係る絶縁抵抗測定器１００およびメガリングフィルタ２００を使用して送電線の絶縁抵抗を測定する場合の測定例について説明する。図６は、本発明に係る絶縁抵抗測定器１００およびメガリングフィルタ２００を使用して送電線の絶縁抵抗を測定する場合の測定例を示している。図７は、メガリングフィルタ２００のメガ端子を絶縁抵抗測定器１００の端子部１１２に接続した状態を示している。なお、図６では、測定を行う線路３００のみを図示している。また、以下の説明では、絶縁測定前に行う、メガリングフィルタ２００の絶縁の確認作業や、メガリングフィルタ２００の内部抵抗の確認作業については、従来と同様の方法であるため、説明を省略する。
【００２４】
まず、図６および図７に示すように、メガリングフィルタ２００のアース端子２１２を絶縁抵抗測定器１００の端子部１１２に設けられたアース接続端子１１４に接続し、メガ端子のライン端子２０８を絶縁抵抗測定器１００の端子部１１２に設けられたライン接続端子１１６に接続する。本例では、絶縁抵抗測定器１００のアース接続端子１１４およびライン接続端子１１６がねじ型なので、メガリングフィルタ２００の平型のアース端子２１２およびライン端子２０８を簡易に絶縁抵抗測定器１００に取り付けることができる。
【００２５】
メガリングフィルタ２００のアース端子２１２およびライン端子２０８を絶縁抵抗測定器１００に取り付けたら、続けてメガリングフィルタ２００のアース端子２１６を接地線か鉄塔の脚に取り付ける。そして、測定しようとする線路３００をアース端子２１６で接地した状態で、メガリングフィルタ２００を垂直に立て、測定しようとする線路３００にメガリングフィルタ２００のフック２０６をかける。
【００２６】
続けて、絶縁抵抗測定器１００の測定ボタン１１０を押して絶縁抵抗測定器１００のスイッチをオンする。絶縁抵抗測定器１００のスイッチをオンしたら、絶縁抵抗測定器１００の表示部１０４の指示が２ＭΩに安定するまで絶縁抵抗測定器１００のスイッチをオン状態とする。絶縁抵抗測定器１００の指示が２ＭΩに安定したら、絶縁抵抗測定器１００のスイッチをオン状態にしたままで、メガリングフィルタ２００のアース端子２１６を接地線や鉄塔の脚から取り外す。
【００２７】
そして、アース端子２１６を接地線等から取り外したら、すばやく絶縁抵抗測定器１００の表示部１０４の指示値を読み取る。表示部１０４を読み取った指示値から絶縁抵抗測定器１００の内部抵抗である２ＭΩを減算することで、測定している線路３００の絶縁抵抗値を算出できる。
【００２８】
絶縁抵抗測定器１００の表示部１０４の指示値を読み取ったら、絶縁抵抗測定器１００の測定ボタン１１０を押してスイッチをオフにし、すぐにメガリングフィルタ２００のアース端子２１６を接地線等に取り付けることで線路３００を再び接地する。アース端子２１６を接地したら、メガリングフィルタ２００のフック２０６を測定している線路３００から取り外すと共に、アース端子２１６を接地線等から取り外す。最後に、メガリングフィルタ２００のアース端子２１６を先端のフック２０６に接触させることで短絡させ、メガリングフィルタ２００内のコンデンサに蓄えられた直流電荷を放電させる。このような一連の作業により、送電線の絶縁抵抗を測定する。
【００２９】
なお、送電線の絶縁抵抗の測定時に、アース用プローブ１３０および測定用プローブ１４０がフリー状態となってしまうので、アース用プローブ１３０および測定用プローブ１４０を一時的に仮固定できるような機構を絶縁抵抗測定器１００に設けても良い。例えば、開放用端子１１８の形状をワニ口のアース端子１３４が取り付けられるように形成し、開放用端子１２０の形状を針型のライン端子１４４が取り付けられるように形成しても良い。これにより、送電線の絶縁抵抗の測定時に、アース用プローブ１３０および測定用プローブ１４０が他の箇所に接触することを確実に防止することができる。
【００３０】
［送電線の相間絶縁の測定例］
続けて、本発明に係る絶縁抵抗測定器１００およびメガリングフィルタ２００Ａ，２００Ｂを使用して、三相３線式の例えば赤相３００Ａと白相３００Ｂとの間の相間絶縁を測定する場合の測定例について説明する。図８は、本発明に係る絶縁抵抗測定器１００およびメガリングフィルタ２００Ａ，２００Ｂを使用して赤相３００Ａおよび白相３００Ｂ間の相間絶縁を測定する場合の状態を示している。図９は、メガリングフィルタ２００Ａ，２００Ｂのメガ端子を絶縁抵抗測定器１００の端子部１１２のそれぞれの端子に接続した状態例を示している。なお、メガリングフィルタ２００Ａ，２００Ｂの構成は上述したメガリングフィルタ２００と同様の構成である。また、メガリングフィルタ２００Ａは第１のメガリングフィルタの一例であり、アース端子２１２Ａは第１のアース端子の一例であり、ライン端子２０８Ａは第１のライン端子の一例である。また、メガリングフィルタ２００Ｂは第２のメガリングフィルタの一例であり、アース端子２１２Ｂは第２のアース端子の一例であり、ライン端子２０８Ｂは第２のライン端子の一例である。
【００３１】
図８および図９に示すように、メガリングフィルタ２００Ａのライン端子２０８Ａを絶縁抵抗測定器１００の端子部１１２に設けられたアース接続端子１１４に接続し、アース端子２１２Ａを絶縁抵抗測定器１００の端子部１１２に設けられた開放用端子１１８に接続する。同様に、メガリングフィルタ２００Ｂのライン端子２０８Ｂを絶縁抵抗測定器１００の端子部１１２に設けられたライン接続端子１１６に接続し、アース端子２１２Ｂを絶縁抵抗測定器１００の端子部１１２に設けられた開放用端子１２０に接続する。
【００３２】
このように、メガリングフィルタ２００Ａ，２００Ｂを絶縁抵抗測定器１００の端子部１１２に設けられたそれぞれの端子に接続した後に、三相３線式の赤相３００Ａと白相３００Ｂとの間の相間絶縁を測定する。なお、相間絶縁の測定については、送電線の絶縁抵抗の測定方法と略同様の方法により行われるため、詳細な説明については省略する。
【００３３】
以上説明したように、本実施の形態によれば、絶縁抵抗測定器１００のアース接続端子１１４およびライン接続端子１１６のそれぞれの形状をねじ型として、メガリングフィルタ２００の平型のアース端子２１２およびライン端子２０８の端子形状に合わせたので、送電線の絶縁抵抗を測定する際において、メガリングフィルタ２００の平型のライン端子２０８，アース端子２１２を絶縁抵抗測定器１００のライン接続端子１１６，アース接続端子１１４に容易に接続することができる。これにより、絶縁抵抗の測定作業の迅速化を図ることができ、絶縁抵抗の作業効率を大幅に向上させることができる。
【００３４】
また、本実施の形態によれば、送電線の相間絶縁の測定時に余ってしまうメガリングフィルタ２００Ａ，２００Ｂのアース端子２１２Ａ，２１２Ｂを接続するための開放用端子１１８，１２０を設けたので、相間絶縁の測定時にメガリングフィルタ２００Ａ，２００Ｂのアース端子２１２Ａ，２１２Ｂを絶縁抵抗測定器１００の開放用端子１１８，１２０のそれぞれに仮留めすることができる。これにより、相間絶縁測定時におけるアース端子２１２Ａ，２１２Ｂの誤接触を防止することができ、相間絶縁の測定を正確に実施することができる。
【００３５】
なお、本発明の技術範囲は、上述した実施形態に限定されるものではなく、本発明の趣旨を逸脱しない範囲において、上述した実施形態に種々の変更を加えたものを含む。例えば、アース用プローブ１３０および測定用プローブ１４０が接続された端子部１１２に、送電線の絶縁抵抗測定用のアース接続端子１１４およびライン接続端子１１６を設けたが、アース接続端子１１４とライン接続端子１１６のみを設けた端子部１１２を別途用意しても良い。また、相間絶縁の測定を行わない場合には、端子部１１２にアース接続端子１１４およびライン接続端子１１６のみを設けても良い。
【００３６】
また、上記実施の形態では、開放用端子１１８，１２０の色を他の端子と区別し易いように異なる色としたが、これに限定されることはなく、例えば、端子の長さを変更することで端子の大きさを異ならせたり、端子の形状を異ならせることもできる。
【符号の説明】
【００３７】
１００・・・絶縁抵抗測定器、１１４・・・アース接続端子、１１６・・・ライン接続端子、１１８，１２０・・・開放用端子、１３０・・・アース用プローブ、１３４・・・アース端子、１４０・・・測定用プローブ、１４４・・・ライン端子、２００，２００Ａ，２００Ｂ・・・メガリングフィルタ、２０８，２０８Ａ，２０８Ｂ・・・ライン端子、２１２，２１２Ａ，２１２Ｂ・・・アース端子
【図１】
2012237731.tif 000003
【図２】
2012237731.tif 000004
【図３】
2012237731.tif 000005
【図４】
2012237731.tif 000006
【図５】
2012237731.tif 000007
【図６】
2012237731.tif 000008
【図７】
2012237731.tif 000009
【図８】
2012237731.tif 000010
【図９】
2012237731.tif 000011